(57)【要約】【課題】計測用クリップを着脱させて利用できる低圧配電路用の電圧測定補助具を提供することを課題とする。【解決手段】電圧測定補助具を、クリップが取り付け可能なクリップ取付端子と、これに電気的に接続され、電線の絶縁被覆に食い込む鋭利な先端を備えた鋭先電極と、電線を挟み込むと共に鋭先電極を電線の絶縁被覆に対して側方から押し付ける押圧手段を備えた締め付け機構とを有し、クリップ取付端子と鋭先電極とを一体化したモジュールを締め付け機構に着脱自在に装着する。クリップ取付端子と鋭先電極とを締め付け機構に一体化させてもよい。【選択図】        図１
2011141213.tif 000002
【特許請求の範囲】
【請求項１】
計測用クリップが取り付け可能なクリップ取付端子と、これに電気的に接続され、電線の絶縁被覆に食い込む鋭利な先端を備えた鋭先電極と、前記電線を挟み込むと共に前記鋭先電極を前記電線の絶縁被覆に対して側方から押し付けるクランプ手段とを備えた電圧測定補助具であって、
前記クリップ取付端子と前記鋭先電極とを一体化してモジュールを形成すると共に、このモジュールを前記クランプ手段を構成するクランプ部材に着脱自在に装着させたことを特徴とする電圧測定補助具。
【請求項２】
計測用クリップが取り付け可能なクリップ取付端子と、これに電気的に接続され、電線の絶縁被覆に食い込む鋭利な先端を備えた鋭先電極と、前記電線を挟み込むと共に前記鋭先電極を前記電線の絶縁被覆に対して側方から押し付けるクランプ手段とを備えた電圧測定補助具であって、
前記クリップ取付端子と前記鋭先電極とを前記クランプ手段を構成するクランプ部材に一体化したことを特徴とする電圧測定補助具。
【発明の詳細な説明】
【技術分野】
【０００１】
本発明は、被覆電線の充電部に直接接触させて電圧を測定するために利用される電圧測定補助具に関する。
【背景技術】
【０００２】
低圧引込線などの架空線の電圧測定においては、従来、鰐口クリップ等のクリップ式測定端子を備えた測定器を用い（例えば、特許文献１参照）、被覆電線の被覆を剥いで充電部である芯線を露出させ、この露出した芯線に測定端子を挟み付けて測定するようにしている。
【０００３】
しかしながら、上述したクリップ式の測定端子による電圧測定においては、クリップの大きさが測定器によって決まっているため、径が異なる電線には対応しにくい不都合がある。また、測定端子を取り付ける際に、電線の絶縁被覆の剥ぎ取りが必要となるため、感電や切創の危険があり、また、絶縁被覆を剥ぎ取った箇所については充電部が露出するため、作業の終了後に露出した充電部を絶縁するために入念なテーピング（絶縁処理）が必要となり、作業時間を多く要し作業労力が大きいものであった。このため、このような不都合を解消するために、下記する特許文献２，３で示される接続クランプを利用することが考えられる。  
【０００４】
この接続クランプは、高圧配電線路の電線に対して絶縁電線の芯線に対する電気的な接触を確実に行うために使用されるもので、Ｃ型のクランプ本体に螺進退する電線締め付け具を設け、この電線締め付け具で電線を針電極が設けられた電線受腕に押し付けて、針電極を電線の被覆に食い込ませて芯線との電気的な接触を確実に行うようにしたものである。
【先行技術文献】
【特許文献】
【０００５】
【特許文献１】特開２００５−２９４０７１
【特許文献２】特開平８−１９６０１０号公報
【特許文献３】実開平６−５６９７３号公報
【発明の概要】
【発明が解決しようとする課題】
【０００６】
しかしながら、上述した先行技術は、高圧配電路での使用に用いられるもので、低圧引込線などに低圧配電線路の電圧を測定するためには、鰐口クリップを利用できる簡易な構成とすることが望ましい。即ち、既存のクランプ装置を利用する場合であれば、それに測定端子や計測用クリップのクリップ取付端子を容易に装着でき、また、新たなクランプ装置を構築する場合であれば、測定端子やクリップ取付端子を一体化させることが望ましい。
【０００７】
本発明は、かかる事情に鑑みてなされたものであり、計測用クリップを容易に着脱させて用いることが可能な低圧配電線路の電圧測定に適した電圧測定補助具を提供することを主たる課題としている。
【課題を解決するための手段】
【０００８】
上記課題を達成するために、本発明に係る電圧測定補助具は、計測用クリップが取り付け可能なクリップ取付端子と、これに電気的に接続され、電線の絶縁被覆に食い込む鋭利な先端を備えた鋭先電極と、前記電線を挟み込むと共に前記鋭先電極を前記電線の絶縁被覆に対して側方から押し付けるクランプ手段とを備え、前記クリップ取付端子と前記鋭先電極とを一体化してモジュールを形成すると共に、このモジュールを前記クランプ手段を構成するクランプ部材に着脱自在に装着させたことを特徴としている。
【０００９】
したがって、このような電圧測定補助具においては、クリップ取付端子と鋭先電極とを一体化したモジュールをクランプ手段を構成するクランプ部材に着脱自在に装着させることで構成されているので、既存クランプ手段に対してモジュールを取り付けることで電圧補助具を形成することができ、このモジュールのクリップ取付端子に鰐口クリップ等のクリップを取り付けることで電圧測定を行うことが可能となる。このため、電線の径の大きさが異なる配電線路の電圧を測定する場合でも、クリップをクリップ取付端子に取り付ければ電圧測定が可能となるので、クリップの大きさに依存することなく電圧測定が可能となる。
【００１０】
また、上記課題を達成するために、本明に係る電圧測定補助具は、計測用クリップが取り付け可能なクリップ取付端子と、これに電気的に接続され、電線の絶縁被覆に食い込む鋭利な先端を備えた鋭先電極と、前記電線を挟み込むと共に前記鋭先電極を前記電線の絶縁被覆に対して側方から押し付けるクランプ手段とを備え、前記クリップ取付端子と前記鋭先電極とを前記クランプ手段を構成するクランプ部材に一体化したことを特徴としている。
【００１１】
したがって、このような構成においては、クリップ取付端子と鋭先電極とがクランプ本体に一体化されているので、このクリップ取付端子に鰐口クリップ等のクリップを取り付けることで電圧測定を行うことが可能となり、電線の径の大きさが異なる配電線路の電圧を測定する場合でも、クリップをクリップ取付端子に取り付ければ電圧測定が可能となるので、クリップの大きさに依存することなく電圧測定が可能となる。
【００１２】
ここで、クランプ手段としては、蓄力コネクタで構成するようにしても、Ｃ型クランプで構成するようにしてもよい。また、鋭先電極は、針状電極であっても、平刃状の刃状電極であってもよい。
【発明の効果】
【００１３】
以上述べたように、本発明に係る電圧測定補助具によれば、計測用クリップが取り付け可能なクリップ取付端子と、これに電気的に接続されて電線の絶縁被覆に食い込む鋭利な先端を備えた鋭先電極とを一体化させたモジュールを用い、このモジュールを既存のクランプ手段を構成するクランプ部材に着脱自在に装着させることで、また、計測用クリップが取り付け可能なクリップ取付端子と、これに電気的に接続されて電線の絶縁被覆に食い込む鋭利な先端を備えた鋭先電極とをクランプ手段を構成するクランプ部材に一体化することで、電線径に拘わらず計測用クリップを容易に着脱させて電圧測定を行うことが可能となり、低圧引込線等の低圧配電線路に対して利用しやすい電圧測定補助具を提供することが可能となる。
【図面の簡単な説明】
【００１４】
【図１】図１は、本発明に係る電圧測定補助具の第１の構成例（モジュールを装着させる例）を示す図であり、（ａ）はその正面図、（ｂ）はその側面図である。
【図２】図２は、図１に用いられるクリップ取付端子とこれに電気的に接続された鋭先電極とを一体化させたモジュールを示す図である。
【図３】図３は、図２のモジュールのクリップ取付端子に鰐口クリップを取り付けた状態を示す図である。
【図４】図４は、本発明に係る電圧測定補助具の第２の構成例（モジュールを装着させる例）を示す図であり、（ａ）はその正面図、（ｂ）はその側面図である。
【図５】図５は、本発明に係る電圧測定補助具の第２の構成例の変形例を示す図であり、（ａ）はその正面図、（ｂ）はその側面図である。
【図６】図６は、本発明に係る電圧測定補助具の第３の構成例（クリップ取付端子とこれに電気的に接続された鋭先電極とをクランプ部材に一体化させた例）を示す図であり、（ａ）はその正面図、（ｂ）はその側面図である。
【図７】図７は、本発明に係る電圧測定補助具の第４の構成例（クリップ取付端子とこれに電気的に接続された鋭先電極とをクランプ部材。８に一体化させた例）を示す図であり、（ａ）はその正面図、（ｂ）はその側面図である。
【発明を実施するための形態】
【００１５】
以下、本発明に係る電圧測定補助具の実施形態を添付図面を参照しながら説明する。
【００１６】
図１において、本発明に係る電圧測定補助具１の第１の実施形態が示されている。この例において、電圧測定補助具１は、計測用クリップを取り付け可能なクリップ取付端子２と、電線３の絶縁被覆３ａに食い込む鋭利な先端を備えた鋭先電極４とを一体化したモジュール５を有し、このモジュール５を電線３を挟み込むクランプ手段を構成する蓄力コネクタ１０に着脱自在に装着して構成されている。
【００１７】
蓄力コネクタ１０は、電線同士を接続する接続具として用いられるそれ自体周知のもので、蓄力コネクタ本体１１と、蓄力座金１２と、この蓄力座金１２を動かすナット１３とから構成されている。
【００１８】
蓄力コネクタ本体１１は、所定の間隔を離して平行に配置された対をなす脚部１１ａと、この対をなす脚部１１ａの一端側を連結する連結部１１ｂとを備えたＵ字状に形成され、脚部１１ａのそれぞれは、互いに対峙する側が平坦面に形成され、外側が円弧面に形成されて、その円弧面にナット１３が螺合するネジ溝１４が刻設されている。連結部１１ｂの内面は、電線３の外周面が密着するように半円状に湾曲された電線受部１５が構成されている。
【００１９】
蓄力座金１２は、ナット１３に当接する基部材１６と、これに連結された押さえ部材１７とを有して構成されているもので、基部材１６は、ナット１３の開口部に基端部（図示せず）が挿入され、開口部から突出した部分が、ナット１３の開口部の径よりも長い辺を有する断面矩形状に形成され、長手方向両端に押さえ部材１７に向けて突出された突片１６ａが設けられている。押さえ部材１７は、基部材１６の形状にあわせた断面矩形に形成され、長手方向両端には前記突片１６ａを受ける段部１７ａが形成されると共に基部材１６と対峙する側とは反対側には図示しないＶ字溝が形成されている。したがって、押さえ部材１７は、その長手方向両側が基部材１６の突片１６ａによって位置決めされており、基部材１６に対してナット１３の軸心を中心として相対的に回転しないようになっている。
【００２０】
モジュール５は、図２にも示されるように、矩形状に形成された底壁２０ａとその両端から立設された立設壁２０ｂ、２０ｃとを有する断面コ字状に形成された基台２０と、この基台２０の一方の立設壁２０ｂに螺進退可能に取り付けられた第１の締め付けネジ２１と、他方の立設壁２０ｃに螺進退可能に取り付けられた第２に締め付けネジ２２とを有している。この例において、第１の締め付けネジ２１には、外側の端部に蝶型つまみ２３が一体に形成され、内側の端部に押圧板２１ａが一体に形成されている。また、第２の締め付けネジ２２には、外側の端部に鰐口クリップを取り付け可能なクリップ取付端子２が一体に形成され、内側の端部に押圧板２２ａが一体に形成されている。
【００２１】
クリップ取付端子２は、図３にも示されるように、断面略矩形に形成された直方体形状のもので、対向する２つの面には、計測用クリップ２５の刃２５ａが噛合しやすくするように波状の凹凸２ａが形成されている。また、クリップ取付端子２の大きさは、計測用クリップ２５を２つ並べて取り付けることができる程度の長さに形成され、計測用クリップ２５で容易に挟み込める程度の厚みに形成されている。
【００２２】
さらに、基台２０の底壁２０ａには、所定の間隔を開けて平行に配置された対をなす平刃状の鋭先電極４が底壁２０ａに対して立設壁２０ｂ、２０ｃの立設方向とは反対側へ突設されている。この例において、鋭先電極４の刃先は、電線３の芯線３ｂとの接触面積を大きくして誤測定を避けるために湾曲状に形成されている。
【００２３】
これら、モジュール５を構成する基台２０、第２の締め付けネジ２２、クリップ取付端子２、鋭先電極４は、導電性材料で構成されており、したがって、クリップ取付端子２と鋭先電極４とは、電気的に接続されている。
【００２４】
そして、このモジュール５は、基台２０が前記蓄力コネクタ本体１１の対をなす脚部１１ａの間隔よりも短い幅に形成され、この対をなす脚部間に鋭先電極４が電線受部１５と対峙するよう電線受部１５と蓄力座金１２との間に基台２０の底壁２０ａを介在させ、蓄力座金１２の長手方向両端の側面を基台２０の立設壁２０ｂ，２０ｃと対峙させ、立設壁２０ｂ，２０ｃに設けられた締め付けネジ２１，２２を回すことで押圧板２１ａ，２２ａを蓄力座金１２の側面に両側から押し付け、この押し付け力により蓄力座金１２に固定するようにしている。
【００２５】
以上の構成において、低圧引込線などの低圧配電線路の電圧を測定するには、蓄力コネクタ本体１１からナット１３と蓄力座金１２とを取り外し、蓄力座金１２にモジュール５を締め付けネジ２１，２２を回して両側から押圧板２１ａ，２２ｂを押付けることで固定する。その後に、蓄力コネクタ本体１１の脚部１１ａ間に電線３を入れて電線受け部１５に電線３の側面を密着させ、しかる後に、モジュール５を基台２０（底壁２０ａ）の鋭先電極４が電線受け部１５に向くよう蓄力座金１２と共に対をなす脚部１１ａ間に挿入し、その後ナット１３を脚部１１ａに螺合させて締め付けていく。すると、モジュール５の基台２０に固定された鋭先電極４が電線３の絶縁被覆３ａを突き破って食い込み、鋭先電極４の先端が芯線３ｂに接触した状態となる。これにより、電線３の芯線３ｂは鋭先電極４、基台２０、締め付けネジ２２を介してクリップ取付端子２に電気的に接続され、このクリップ取付端子２に計測器の計測用クリップ２５を取り付けることで電圧の測定が可能となる。
【００２６】
したがって、電線３の径の大きさが異なる場合でも、蓄力コネクタ１０を電線３の径に合わせて交換するだけで、蓄力コネクタ１０に装着されたモジュール５の鋭先電極４を電線３に食い込ませて芯線３ｂに接触させることができるので、電線径に依存することなく
既存の計測用クリップ２５を用いて電圧測定を容易に行うことが可能となる。
【００２７】
以上の構成においては、クランプ手段として蓄力コネクタ１０を用いた例を示したが、図４に示されるようにＣ型クランプ３０を用いるようにしてもよい。
【００２８】
このＣ型クランプ３０は、電線受部３１ａと腕部３１ｂとが一体に形成されてＣ字状に形成されたクランプ本体３１と、腕部３１ｂに螺進退可能に螺合する締め付け螺子３３と、この締め付け螺子３３の先端部に設けられ、締め付け螺子３３の回転によって電線受部３１ａとの距離を可変させる電線締め付け具３４とを有して構成され、締め付け螺子３３の基端部に、蝶型つまみ３３ａが一体に形成されている。
【００２９】
このようなＣ型クランプ３０と前記モジュール５とを組み合わせ、この例においては、鋭先電極４が電線受部３１ａと対峙するように基台２０の底壁２０ａを電線受部３１ａと電線締め付け具３４との間に配置し、締め付けネジ２１，２２を回転させて押圧板２１ａ，２２ａを電線締め付け具３４の側面に押し付け、電線締め付け具３４を両側から挟み込むことでモジュール５を電線締め付け具３４に固定するようにしている。
【００３０】
このような構成においては、低圧引込線などの低圧配電線路の電圧を測定するには、予めモジュール５を鋭先電極４が電線受部３１ａと対峙するように電線締め付け具３４に固定しておき、Ｃ型クランプ３０の締め付け螺子３３を回してモジュール５と電線受部３１ａとの間を電線３が挿入しやすい程度に離す。その後、電線３をモジュール５と電線受部３１ａとの間に側方から挿入して電線受部３１ａに電線３の側面を密着させ、しかる後に、締め付け螺子３３を回して電線締め付け具３４を電線受部３１ａ側へ動かしていく。すると、モジュール５の基台２０に固定された鋭先電極４が電線３の絶縁被覆３ａを突き破って食い込み、鋭先電極４の先端が芯線３ｂに接触した状態となる。これにより、電線３の芯線３ｂは鋭先電極４、基台２０、締め付けネジ２２を介してクリップ取付端子２に電気的に接続され、このクリップ取付端子２に計測器の計測用クリップ２５を取り付けることで電圧の測定が可能となる。
【００３１】
尚、上述のＣ型クランプ３０を用いた構成例では、モジュール５を電線締め付け具３４に取り付けた例を示したが、図５に示されるように、モジュール５の鋭先電極４が電線締め付け具３４と対峙するよう基台２０の底壁２０ａを電線受部３１ａと電線締め付け具３４との間に配置し、締め付けネジ２１，２２を回転させて押圧板２１ａ，２２ａを電線受部３１ａの側面に押し付け、電線受部３１ａを両側から挟み込むことでモジュール５を電線受部３１ａに固定するようにしてよい。
【００３２】
このような構成においては、低圧引込線などの低圧配電線路の電圧を測定するには、締め付け螺子３３を回して電線締め付け具３４を電線受部３１ａから十分に離しておき、その状態でモジュール５を鋭先電極４が電線締め付け具３４と対峙するように電線受部３１ａに固定する。その後、電線３をモジュール５と電線締め付け具３４との間に側方から挿入して電線３の側面を電線締め付け具３４に密着させ、しかる後に、締め付け螺子３３を回して電線締め付け具３４を電線受部３１ａ側へ動かしていく。すると、モジュール５の基台２０に固定された鋭先電極４が電線３の絶縁被覆３ａを突き破って食い込み、鋭先電極４の先端が芯線３ｂに接触した状態となる。これにより、電線３の芯線３ｂは鋭先電極４、基台２０、締め付けネジ２２を介してクリップ取付端子２に電気的に接続され、このクリップ取付端子２に計測器の計測用クリップ２５を取り付けることで電圧の測定が可能となる。
【００３３】
以上の構成においては、クリップ取付端子２と鋭先電極４とが一体化したモジュール５をクランプ手段を構成するクランプ部材（蓄力コネクタ１０の蓄力座金１２、Ｃ型クランプ３０の電線締め付け具３４又は電線受部３１ａ）に後付けする構成を示したが、図６および図７に示されるように、クリップ取付端子２と鋭先電極４とをクランプ手段を構成するクランプ部材に予め一体化させておいてもよい。
【００３４】
このうち、図６に示される構成は、図１に示される蓄力コネクタ１０にクリップ取付端子２と鋭先電極４とを一体化させたもので、連結部１１ｂの内側部分に電線受部１５から内側へ突出する鋭先電極４を固定し、連結部１１ｂの外側部分に鋭先電極４と電気的に接続され、外側から計測用クリップ２５を取付け可能なクリップ取付端子２が固定されている。このクリップ取付端子２は、連結部１１ｂに形成された端子収容凹部１１ｃに連結部１１ｂの端面から突出しないように内蔵されている。このクリップ取付端子２は、計測用クリップ２５が同時に２つ取り付けられる程度の長さに形成されており、また、このクリップ取付端子２が設けられた端子収容凹部１１ｃは計測用クリップ２５を開いて導入できる程度に十分な大きさに形成されている。
尚、他の構成は、図１の構成と同様であるので、同一箇所に同一符号を付して説明を省略する。
【００３５】
以上の構成において、低圧引込線などの低圧配電線路の電圧を測定するには、蓄力コネクタ本体１１からナット１３と蓄力座金１２を取り外し、蓄力コネクタ本体１１の脚部１１ａ間に電線３を入れ、しかる後に、対をなす脚部１１ａ間に蓄力座金１２を挿入すると共にナット１３を脚部１１ａに螺合させ、電線３を蓄力座金１２を介して押圧して電線受部１５に近接させるようナット１３を締め付けていく。すると、電線受部１５に固定された鋭先電極４が電線３の絶縁被覆３ａを突き破って食い込み、鋭先電極４の先端が芯線３ｂに接触した状態となる。これにより、電線３の芯線３ｂは鋭先電極４を介してクリップ取付端子２と電気的に接続され、このクリップ取付端子２に計測器の計測用クリップ２５を取り付けることで電圧の測定が可能となる。
【００３６】
したがって、上述のようなクリップ取付端子２と鋭先電極４とが一体化された蓄力コネクタを電線３の径毎に用意しておくことで、蓄力コネクタ１０を電線３の径に合わせて交換するだけで、既存の計測用クリップ２５を用いて電圧測定を容易に行うことが可能となる。
【００３７】
図７において、クリップ取付端子２と鋭先電極４とをクランプ部材に一体化した他の構成例が示されている。この例で示される構成は、図４及び図５に示されるＣ型クランプ３０にクリップ取付端子２と鋭先電極４とを一体化させたもので、電線受部３１ａに内側へ突出する鋭先電極４を固定し、腕部３１ｂの基端側（図中、クランプ本体３１の右下部分）に鋭先電極４とクランプ本体３１の内部で導線３６を介して電気的に接続され、外側から計測用クリップ２５を取付け可能なクリップ取付端子２が固定されている。このクリップ取付端子２は、腕部３１ｂに形成された端子収容凹部３１ｃに腕部３１ｂの端面（図中、下面）から突出しないように内蔵されている。また、このクリップ取付端子２も、計測用クリップ２５が同時に２つ取り付けられる程度の長さに形成されており、また、このクリップ取付端子２が設けられた端子収容凹部３１ｃは計測用クリップ２５を開いて導入できる程度に十分な大きさに形成されている。
尚、他の構成は、図４及び図５の構成と同様であるので、同一箇所に同一符号を付して説明を省略する。
【００３８】
このような構成においては、低圧引込線などの低圧配電線路の電圧を測定するには、締め付け螺子３３を回して電線締め付け具３４を電線受部３１ａから十分に離しておき、その後、電線３を電線締め付け具３４と電線受部３１ａの間に側方から挿入し、締め付け螺子３３を回して電線締め付け具３４を電線受部３１ａ側へ動かしていく。すると、電線受部３１ａの内側に固定された鋭先電極４が電線３の絶縁被覆３ａを突き破って食い込み、鋭先電極４の先端が芯線３ｂに接触した状態となる。これにより、電線３の芯線３ｂは鋭先電極４、導線３６を介してクリップ取付端子２に電気的に接続され、このクリップ取付端子２に計測器の計測用クリップ２５を取り付けることで電圧の測定が可能となる。
【００３９】
尚、以上の構成においては、鋭先電極４を平刃によって構成する例を示したが、針状に形成するようにしてもよい。また、モジュール５に設けられた鋭先電極４や、図６及び図７に示される鋭先電極４は、基台２０の底壁２０ａや電線受部１５，３１ａに着脱可能としておき、電圧測定対象となる電線３の径に応じて鋭先電極４を取り換えるようにしてもよい。
また、上述の構成においては、締め付け螺子３３の回転を、基端部に設けられた蝶型つまみ３３ａで行うようにしたが、蝶型つまみの代わりに図４（ａ）に示されるようにボルト頭３３ｂとしても、共用操作棒の先端が接続可能な連結具としてもよい。
【符号の説明】
【００４０】
２  クリップ取付端子
３  電線
３ａ  絶縁被覆
４  鋭先電極
５  モジュール
１０  蓄力コネクタ
１１  蓄力コネクタ本体
１２  蓄力座金
２５  計測用クリップ
３０  Ｃ型クランプ
３１  クランプ本体
３４  電線締め付け具
【図１】
2011141213.tif 000003
【図２】
2011141213.tif 000004
【図３】
2011141213.tif 000005
【図４】
2011141213.tif 000006
【図５】
2011141213.tif 000007
【図６】
2011141213.tif 000008
【図７】
2011141213.tif 000009